(57)【特許請求の範囲】
【請求項１】
ガスタービン燃焼器を構成して、燃料を空気とともに燃焼させて燃焼ガスを生成するガスタービン燃焼器用ノズルの梱包用具であって、
底面を形成する底板と、側面を形成する４枚の側板とを備え、その外観形状が直方体を呈する、強化段ボールからなる外箱と、
底面を形成する底板と、側面を形成する４枚の側板とを備え、その外観形状が直方体を呈し、かつ、内部に前記ガスタービン燃焼器用ノズルを収容する凹所を備えるとともに、前記外箱の中に収容される、強化段ボールからなる少なくとも一つのノズル受け台と、
前記外箱の開口部を塞ぐ、強化段ボールからなる蓋体とを備えていることを特徴とするガスタービン燃焼器用ノズルの梱包用具。  
【請求項２】
前記凹所の周縁を取り囲むようにして、板状の緩衝材が設けられており、前記ガスタービン燃焼器用ノズルが前記凹所内に収容された際、前記ガスタービン燃焼器用ノズルが、前記板状の緩衝材を介して支持され、かつ、前記ガスタービン燃焼器用ノズルの下端と、前記ノズル受け台の前記底板との間に隙間ができるように構成されていることを特徴とする請求項１に記載のガスタービン燃焼器用ノズルの梱包用具。
【請求項３】
前記ノズル受け台を少なくとも二つ備え、これらノズル受け台とノズル受け台との間に、前記外箱の内部空間を仕切る、強化段ボールからなる間仕切りが設けられていることを特徴とする請求項１または２に記載のガスタービン燃焼器用ノズルの梱包用具。
【請求項４】
前記蓋体を被せた際に、前記ガスタービン燃焼器用ノズルの天面と、前記蓋体の下面との間に形成される空間内に、前記ガスタービン燃焼器用ノズルの主に上下方向の移動を阻止する、強化段ボールからなる天押さえ積層品ブロックが設けられていることを特徴とする請求項１から３のいずれか一項に記載のガスタービン燃焼器用ノズルの梱包用具。
【請求項５】
ガスタービン燃焼器を構成して、燃料を空気とともに燃焼させて燃焼ガスを生成するガスタービン燃焼器用ノズルの梱包方法であって、
底面を形成する底板と、側面を形成する４枚の側板とを備え、その外観形状が直方体を呈する、強化段ボールからなる外箱を組み立てる段階と、
底面を形成する底板と、側面を形成する４枚の側板とを備え、その外観形状が直方体を呈し、かつ、内部に前記ガスタービン燃焼器用ノズルを収容する凹所を備えるとともに、前記外箱の中に収容される、強化段ボールからなる少なくとも一つのノズル受け台を組み立てる段階と、
前記外箱の中に前記ノズル受け台を収容する段階と、
前記凹所の中に前記ガスタービン燃焼器用ノズルを収容する段階と、
前記外箱の開口部を、強化段ボールからなる蓋体で覆う段階とを備えていることを特徴とするガスタービン燃焼器用ノズルの梱包方法。
【請求項６】
前記凹所の周縁を取り囲むようにして、前記ノズル受け台に板状の緩衝材を取り付ける段階を備え、前記ガスタービン燃焼器用ノズルが前記凹所の中に収容された際、前記ガスタービン燃焼器用ノズルが、前記板状の緩衝材を介して支持され、かつ、前記ガスタービン燃焼器用ノズルの下端と、前記ノズル受け台の前記底板との間に隙間ができるようにしたことを特徴とする請求項５に記載のガスタービン燃焼器用ノズルの梱包方法。
【請求項７】
前記外箱の中に前記ノズル受け台を収容する前に、前記ノズル受け台とノズル受け台との間に、前記外箱の内部空間を仕切る、強化段ボールからなる間仕切りを配置する段階を備えていることを特徴とする請求項５または６に記載のガスタービン燃焼器用ノズルの梱包方法。
【請求項８】
前記蓋体を被せた際に、前記ガスタービン燃焼器用ノズルの天面と、前記蓋体の下面との間に形成される空間内に、前記ガスタービン燃焼器用ノズルの主に上下方向の移動を阻止する、強化段ボールからなる天押さえ積層品ブロックを配置する段階を備えていることを特徴とする請求項５から７のいずれか一項に記載のガスタービン燃焼器用ノズルの梱包方法。
【発明の詳細な説明】
【技術分野】
【０００１】
本発明は、ガスタービン燃焼器を構成して、燃料を空気とともに燃焼させて燃焼ガスを生成するガスタービン燃焼器用ノズル（「ノズルブロック」ともいう。）の梱包用具およびガスタービン燃焼器用ノズルの梱包方法に関するものである。
【背景技術】
【０００２】
例えば、特許文献１に開示されたノズルブロック（以下、「ガスタービン燃焼器用ノズル」という。）は、従来、木製の箱（木箱）からなる梱包用具に収容された状態で運搬されていた。
【先行技術文献】
【特許文献】
【０００３】
【特許文献１】特開２００９−２４３３１０号公報
【発明の概要】
【発明が解決しようとする課題】
【０００４】
しかしながら、木箱を使用した従来の梱包用具および梱包方法では、貨物全体の重量が増大し、輸送費が嵩んでしまうといった問題点があった。
また、蓋体に打ち付けられていた釘を抜いて開梱する際に、木屑が木箱の中（内側）に落ち、その木屑がガスタービン燃焼器用ノズルの燃料噴射孔に入り込み、燃料噴射孔を塞いでしまうといったおそれもあった。
さらに、ガスタービン燃焼器用ノズルを木箱に収容したり、木箱から取り出したりするとき、あるいは運搬中に、ガスタービン燃焼器用ノズルが木箱に接触して、ガスタービン燃焼器用ノズルの表面に擦過傷が付いてしまうといったおそれもあった。
さらにまた、木箱の組立・解体作業に多大な時間と労力を要し、作業効率が悪いといった問題点もあった。
【０００５】
本発明は、上記の事情に鑑みてなされたもので、貨物全体の重量を低減させることができ、ガスタービン燃焼器用ノズルの表面への擦過傷を防止することができて、容易に組立・解体することができるガスタービン燃焼器用ノズルの梱包用具およびガスタービン燃焼器用ノズルの梱包方法を提供することを目的とする。
【課題を解決するための手段】
【０００６】
本発明は、上記課題を解決するため、以下の手段を採用した。
本発明に係るガスタービン燃焼器用ノズルの梱包用具は、ガスタービン燃焼器を構成して、燃料を空気とともに燃焼させて燃焼ガスを生成するガスタービン燃焼器用ノズルの梱包用具であって、底面を形成する底板と、側面を形成する４枚の側板とを備え、その外観形状が直方体を呈する、強化段ボールからなる外箱と、底面を形成する底板と、側面を形成する４枚の側板とを備え、その外観形状が直方体を呈し、かつ、内部に前記ガスタービン燃焼器用ノズルを収容する凹所を備えるとともに、前記外箱の中に収容される、強化段ボールからなる少なくとも一つのノズル受け台と、前記外箱の開口部を塞ぐ、強化段ボールからなる蓋体とを備えている。
【０００７】
本発明に係るガスタービン燃焼器用ノズルの梱包用具によれば、梱包用具全体が、強化段ボールで作られているので、貨物全体の重量を低減させることができ、輸送費の削減を図ることができる。
また、梱包用具全体が、強化段ボールで作られているので、従来使用されていた木箱のように、蓋体に打ち付けられていた釘を抜く必要がなく、開梱する際の木屑が梱包用具の中（内側）に落ち、その木屑がガスタービン燃焼器用ノズルの燃料噴射孔に入り込み、燃料噴射孔を塞いでしまうといったことも回避することができる。
さらに、梱包用具全体が、強化段ボールで作られているので、ガスタービン燃焼器用ノズルを梱包用具に収容したり、梱包用具から取り出したりするとき、あるいは運搬中に、ガスタービン燃焼器用ノズルが梱包用具に接触したとしても、梱包用具だけが凹むようになっており、ガスタービン燃焼器用ノズルの表面への擦過傷を防止することができる。
さらにまた、梱包用具全体が、強化段ボールで作られているので、従来使用されていた木箱に比べて、容易に組立・解体することができ、組立・解体作業に要する時間と労力を低減させることができて、作業効率を向上させることができる。
【０００８】
上記ガスタービン燃焼器用ノズルの梱包用具において、前記凹所の周縁を取り囲むようにして、板状の緩衝材が設けられており、前記ガスタービン燃焼器用ノズルが前記凹所内に収容された際、前記ガスタービン燃焼器用ノズルが、前記板状の緩衝材を介して支持され、かつ、前記ガスタービン燃焼器用ノズルの下端と、前記ノズル受け台の前記底板との間に隙間ができるように構成されているとさらに好適である。
【０００９】
このようなガスタービン燃焼器用ノズルの梱包用具によれば、ガスタービン燃焼器用ノズルが板状の緩衝材を介して支持され、ガスタービン燃焼器用ノズルが強化段ボールで作られた部分と直接接触しないようになっているので、ガスタービン燃焼器用ノズルの表面への擦過傷をさらに防止することができる。緩衝材としては、例えば発泡スチロールやゴムなどを用いることができる。特に発泡スチロールを用いた場合は、梱包用具の軽量化を少しでも図ることができる点で有意義である。
また、ガスタービン燃焼器用ノズルの下端と、ノズル受け台の底板との間に隙間が形成されるようになっているので、ガスタービン燃焼器用ノズルの下端と、ノズル受け台の底板との接触を防止することができ、ガスタービン燃焼器用ノズルの表面への擦過傷をさらに防止することができる。
【００１０】
上記ガスタービン燃焼器用ノズルの梱包用具において、前記ノズル受け台を少なくとも二つ備え、これらノズル受け台とノズル受け台との間に、前記外箱の内部空間を仕切る、強化段ボールからなる間仕切りが設けられているとさらに好適である。
【００１１】
このようなガスタービン燃焼器用ノズルの梱包用具によれば、隣り合うガスタービン燃焼器用ノズルとガスタービン燃焼器用ノズルとの間に強化段ボールで作られた間仕切りが配置されることになるので、ガスタービン燃焼器用ノズルを梱包用具に収容したり、梱包用具から取り出したりするとき、あるいは運搬中におけるガスタービン燃焼器用ノズル同士の接触を防止することができ、ガスタービン燃焼器用ノズルの表面への擦過傷をさらに防止することができるとともに、梱包用具全体の剛性を高めることができる。
【００１２】
上記ガスタービン燃焼器用ノズルの梱包用具において、前記蓋体を被せた際に、前記ガスタービン燃焼器用ノズルの天面と、前記蓋体の下面との間に形成される空間内に、前記ガスタービン燃焼器用ノズルの主に上下方向の移動を阻止する、強化段ボールからなる天押さえ積層品ブロックが設けられているとさらに好適である。
【００１３】
このようなガスタービン燃焼器用ノズルの梱包用具によれば、蓋体を被せた際に、ガスタービン燃焼器用ノズルの天面と、蓋体の下面との間に形成される空間内に、強化段ボールで作られた天押さえ積層品ブロックが配置されることになるので、運搬中におけるガスタービン燃焼器用ノズルの移動を防止することができ、ガスタービン燃焼器用ノズルの表面への擦過傷をさらに防止することができる。
【００１４】
本発明に係るガスタービン燃焼器用ノズルの梱包方法は、ガスタービン燃焼器を構成して、燃料を空気とともに燃焼させて燃焼ガスを生成するガスタービン燃焼器用ノズルの梱包方法であって、底面を形成する底板と、側面を形成する４枚の側板とを備え、その外観形状が直方体を呈する、強化段ボールからなる外箱を組み立てる段階と、底面を形成する底板と、側面を形成する４枚の側板とを備え、その外観形状が直方体を呈し、かつ、内部に前記ガスタービン燃焼器用ノズルを収容する凹所を備えるとともに、前記外箱の中に収容される、強化段ボールからなる少なくとも一つのノズル受け台を組み立てる段階と、前記外箱の中に前記ノズル受け台を収容する段階と、前記凹所の中に前記ガスタービン燃焼器用ノズルを収容する段階と、前記外箱の開口部を、強化段ボールからなる蓋体で覆う段階とを備えている。
【００１５】
本発明に係るガスタービン燃焼器用ノズルの梱包方法によれば、梱包用具全体が、強化段ボールで作られているので、貨物全体の重量を低減させることができ、輸送費の削減を図ることができる。
また、梱包用具全体が、強化段ボールで作られているので、従来使用されていた木箱のように、蓋体に打ち付けられていた釘を抜く必要がなく、開梱する際の木屑が梱包用具の中（内側）に落ち、その木屑がガスタービン燃焼器用ノズルの燃料噴射孔に入り込み、燃料噴射孔を塞いでしまうといったことも回避することができる。
さらに、梱包用具全体が、強化段ボールで作られているので、ガスタービン燃焼器用ノズルを梱包用具に収容したり、梱包用具から取り出したりするとき、あるいは運搬中に、ガスタービン燃焼器用ノズルが梱包用具に接触したとしても、梱包用具だけが凹むようになっており、ガスタービン燃焼器用ノズルの表面への擦過傷を防止することができる。
さらにまた、梱包用具全体が、強化段ボールで作られているので、従来使用されていた木箱に比べて、容易に組立・解体することができ、組立・解体作業に要する時間と労力を低減させることができて、作業効率を向上させることができる。
【００１６】
上記ガスタービン燃焼器用ノズルの梱包方法において、前記凹所の周縁を取り囲むようにして、前記ノズル受け台に板状の緩衝材を取り付ける段階を備え、前記ガスタービン燃焼器用ノズルが前記凹所の中に収容された際、前記ガスタービン燃焼器用ノズルが、前記板状の緩衝材を介して支持され、かつ、前記ガスタービン燃焼器用ノズルの下端と、前記ノズル受け台の前記底板との間に隙間ができるようにするとさらに好適である。
【００１７】
このようなガスタービン燃焼器用ノズルの梱包方法によれば、ガスタービン燃焼器用ノズルが板状の緩衝材を介して支持され、ガスタービン燃焼器用ノズルが強化段ボールで作られた部分と直接接触しないようになっているので、ガスタービン燃焼器用ノズルの表面への擦過傷をさらに防止することができる。
また、ガスタービン燃焼器用ノズルの下端と、ノズル受け台の底板との間に隙間が形成されるようになっているので、ガスタービン燃焼器用ノズルの下端と、ノズル受け台の底板との接触を防止することができ、ガスタービン燃焼器用ノズルの表面への擦過傷をさらに防止することができる。
【００１８】
上記ガスタービン燃焼器用ノズルの梱包方法において、前記外箱の中に前記ノズル受け台を収容する前に、前記ノズル受け台とノズル受け台との間に、前記外箱の内部空間を仕切る、強化段ボールからなる間仕切りを配置する段階を備えているとさらに好適である。
【００１９】
このようなガスタービン燃焼器用ノズルの梱包方法によれば、隣り合うガスタービン燃焼器用ノズルとガスタービン燃焼器用ノズルとの間に強化段ボールで作られた間仕切りが配置されることになるので、ガスタービン燃焼器用ノズルを梱包用具に収容したり、梱包用具から取り出したりするとき、あるいは運搬中におけるガスタービン燃焼器用ノズル同士の接触を防止することができ、ガスタービン燃焼器用ノズルの表面への擦過傷をさらに防止することができるとともに、梱包用具全体の剛性を高めることができる。
【００２０】
上記ガスタービン燃焼器用ノズルの梱包方法において、前記蓋体を被せた際に、前記ガスタービン燃焼器用ノズルの天面と、前記蓋体の下面との間に形成される空間内に、前記ガスタービン燃焼器用ノズルの主に上下方向の移動を阻止する、強化段ボールからなる天押さえ積層品ブロックを配置する段階を備えているとさらに好適である。
【００２１】
このようなガスタービン燃焼器用ノズルの梱包方法によれば、蓋体を被せた際に、ガスタービン燃焼器用ノズルの天面と、蓋体の下面との間に形成される空間内に、強化段ボールで作られた天押さえ積層品ブロックが配置されることになるので、運搬中におけるガスタービン燃焼器用ノズルの移動を防止することができ、ガスタービン燃焼器用ノズルの表面への擦過傷をさらに防止することができる。
【発明の効果】
【００２２】
本発明に係るガスタービン燃焼器用ノズルの梱包用具およびガスタービン燃焼器用ノズルの梱包方法によれば、貨物全体の重量を低減させることができ、ガスタービン燃焼器用ノズルの表面への擦過傷を防止することができて、容易に組立・解体することができるという効果を奏する。
【図面の簡単な説明】
【００２３】
【図１】本発明の一実施形態に係るガスタービン燃焼器用ノズルの梱包用具およびガスタービン燃焼器用ノズルの梱包方法を説明するための図であって、パレットの斜視図である。
【図２】本発明の一実施形態に係るガスタービン燃焼器用ノズルの梱包用具およびガスタービン燃焼器用ノズルの梱包方法を説明するための図であって、パレットおよび外箱の斜視図である。
【図３】本発明の一実施形態に係るガスタービン燃焼器用ノズルの梱包用具およびガスタービン燃焼器用ノズルの梱包方法を説明するための図であって、パレット、外箱、および十字仕切りの斜視図である。
【図４】本発明の一実施形態に係るガスタービン燃焼器用ノズルの梱包用具およびガスタービン燃焼器用ノズルの梱包方法を説明するための図であって、内箱を底板の側から見た斜視図である。
【図５】本発明の一実施形態に係るガスタービン燃焼器用ノズルの梱包用具およびガスタービン燃焼器用ノズルの梱包方法を説明するための図であって、内箱、およびインナーの斜視図である。
【図６】本発明の一実施形態に係るガスタービン燃焼器用ノズルの梱包用具およびガスタービン燃焼器用ノズルの梱包方法を説明するための図であって、内箱、インナー、補強パット、および発泡スチロールの斜視図である。
【図７】本発明の一実施形態に係るガスタービン燃焼器用ノズルの梱包用具およびガスタービン燃焼器用ノズルの梱包方法を説明するための図であって、ノズル受け台の斜視図である。
【図８】図７のＡ−Ａ矢視断面図である。
【図９】図７のＢ−Ｂ矢視断面図である。
【図１０】本発明の一実施形態に係るガスタービン燃焼器用ノズルの梱包用具およびガスタービン燃焼器用ノズルの梱包方法を説明するための図であって、パレット、外箱、十字仕切り、およびノズル受け台の斜視図である。
【図１１】図１０のＣ−Ｃ矢視断面図である。
【図１２】図１０のＤ−Ｄ矢視断面図である。
【図１３】本発明の一実施形態に係るガスタービン燃焼器用ノズルの梱包用具およびガスタービン燃焼器用ノズルの梱包方法を説明するための図であって、パレット、外箱、十字仕切り、ガスタービン燃焼器用ノズル、およびノズル受け台の斜視図である。
【図１４】図１３のＥ−Ｅ矢視断面図である。
【図１５】図１３のＦ−Ｆ矢視断面図である。
【図１６】本発明の一実施形態に係るガスタービン燃焼器用ノズルの梱包用具およびガスタービン燃焼器用ノズルの梱包方法を説明するための図であって、パレット、外箱、十字仕切り、および天押さえ積層品ブロックの斜視図である。
【図１７】本発明の一実施形態に係るガスタービン燃焼器用ノズルの梱包用具およびガスタービン燃焼器用ノズルの梱包方法を説明するための図であって、パレット、外箱、および天キャップの斜視図である。
【図１８】本発明の一実施形態に係るガスタービン燃焼器用ノズルの梱包用具およびガスタービン燃焼器用ノズルの梱包方法を説明するための図であって、パレット、外箱、天キャップ、結束バンドの斜視図である。
【発明を実施するための形態】
【００２４】
以下、本発明の一実施形態に係るガスタービン燃焼器用ノズルの梱包用具およびガスタービン燃焼器用ノズルの梱包方法について、図１から図１８を参照しながら説明する。
まず、図１に示すように、フォークリフト（図示せず）で貨物を格納・運搬するためのパレット（荷台）１０を用意する。
つぎに、図２に示すように、底面を形成する底板１１と、側面を形成する４枚の側板１２とを備え、その外観形状が直方体または立方体を呈する外箱（外装ケース：アウターケース）１３をパレット１０の上に載置し、外箱１３の中から底板１１の四隅に鋲材（図示せず）を打ち付けて、外箱１３をパレット１０に対して固定する。
【００２５】
つづいて、図３に示すように、外箱１３の内部空間を、２枚または４枚の板状部材からなり、４つの等しい空間に仕切る（区画する）十字仕切り（間仕切り）１４を外箱１３の中に入れる。このとき、高さ方向に延びる十字仕切り１４の各端面１４ａは、対向する側板１２の周方向における中央部に位置する内側面１２ａと全体的にまたは部分的に接するようになっている。
【００２６】
一方、図４に示すように、底面を形成する底板１５と、側面を形成する４枚の側板１６とを備え、その外観形状が直方体または立方体を呈する内箱（内装ケース：インナーケース）１７を組み立てて、底面を形成する底板１５が開かないように粘着テープ（例えば、ガムテープ）１８を貼り付け、この粘着テープ１８が延びる方向と直交する方向に、粘着テープ１８と同程度の幅を有する両面テープ１９を２本貼り付ける。
つぎに、図５に示すように、内箱１７をひっくり返して、後述する補強パット２０、発泡スチロール（緩衝材）２１、およびガスタービン燃焼器用ノズル２２をそれぞれ収容する凹所２３，２４，２５を備えた専用のインナー（内装材）２６を内箱１７の中に入れる。
【００２７】
つづいて、図６に示すように、凹所２３内に平面視矩形状を呈する板状の補強パット２０を２枚入れ、凹所２４内にその外観形状が直方体または立方体を呈するブロック状の発泡スチロール２１を入れた後、凹所２５の周縁を取り囲むようにして、板状の発砲スチロール（緩衝材）２７を４枚貼り付ける。
なお、図７から図９のいずれかに示すように、内箱１７、補強パット２０、発泡スチロール２１、およびインナー２６は、補強パット２０の下端面２０ａ、発泡スチロール２１の下端面２１ａ、およびインナー２６の下端面２６ａと、内箱１７の底板１５とが接した状態で、内箱１７の上端面１７ａと、補強パット２０の上端面２０ｂと、発泡スチロール２１の上端面２１ｂと、インナー２６の上端面２６ｂとが同一平面をなすように構成されている。また、発泡スチロール２７は、図７に示す位置、すなわち、発泡スチロール２７の一側面２７ａが、凹所２５を形成する内周面２５ａと同一平面をなすように、対応する補強パット２０、発泡スチロール２１、インナー２６の上端面で、かつ、その周方向における中央部に、両面テープ（図示せず）等を介して貼り付けられている。
【００２８】
つぎに、図７から図９の状態、すなわち、内箱１７内への補強パット２０、発泡スチロール２１、インナー２６の挿入、およびこれら補強パット２０、発泡スチロール２１、インナー２６への発泡スチロール２７の取り付けが完了したノズル受け台２８を、図１０から図１２のいずれかに示すように、ノズル受け台２８の下端面２８ａ（すなわち、底板１５の下面１５ａ（図４参照））と、外箱１３の底板１１（より詳しくは、底板１１の上面１１ａ）とが接するように、十字仕切り１４で仕切られた空間内にそれぞれ入れる。
【００２９】
つづいて、図示しないエアキャップ等の緩衝材（梱包材）で包まれたガスタービン燃焼器用ノズル２２、またはエアキャップ等の緩衝材で包まれていない裸のガスタービン燃焼器用ノズル２２を、図１３に示すように、十字仕切り１４で仕切られた空間内にそれぞれ入れる。
なお、図１３から図１５のいずれかに示すように、ノズル受け台２８は、ガスタービン燃焼器用ノズル２２が燃焼器外筒（図示せず）に取り付けられた際に、当該燃焼器外筒の取付面と接して支持されるガスタービン燃焼器用ノズル２２の首部（段部）２９が、発泡スチロール２７の上端面２７ｂの上に載置された状態、すなわち、首部２９の下端面２９ａと発泡スチロール２７の上端面２７ｂとが接した状態で、ガスタービン燃焼器用ノズル２２の先端（下端）２２ａと、内箱１７の底板１５との間に２０ｍｍ〜３０ｍｍ程度の隙間ができるように構成されている。
【００３０】
つぎに、図１６に示すように、図１７に示す天面を形成する天板３０と、側面を形成する４枚の側板３１とを備え、その外観形状が直方体を呈する天キャップ（蓋体）３２を被せた際に、ガスタービン燃焼器用ノズル２２の天面２２ｂと、天板３０の下面（図示せず）との間に形成される空間内に、ガスタービン燃焼器用ノズル２２の主に上下方向の移動を阻止する２本の天押さえ積層品ブロック３３を、互いに平行になるようにして配置する。
つづいて、図１７に示すように、外箱１３の開口部を覆い隠すようにして天キャップ（蓋）３２を被せる。
最後に、図１８に示すように、ガスタービン燃焼器用ノズル２２を収容した（納めた）外箱１３の開口部が天キャップ３２によって覆われたガスタービン燃焼器用ノズルの梱包用具３４と、パレット１０とを、例えば、ポリプロピレン（polypropylene）製の結束バンド３５によって結束（固縛）する。
【００３１】
なお、上述した実施形態では、パレット１０として木製のものを、外箱１３、十字仕切り１４、内箱１７、インナー２６、補強パット２０、天押さえ積層品ブロック３３、天キャップ３２として強化段ボール（トライ・ウォール（登録商標））製のものを採用した。
【００３２】
本実施形態に係るガスタービン燃焼器用ノズルの梱包用具およびガスタービン燃焼器用ノズルの梱包方法によれば、発泡スチロール２１，２７および結束バンド３５を除く梱包用具３４全体が、強化段ボールで作られているので、貨物全体の重量を低減させることができ、輸送費の削減を図ることができる。
また、発泡スチロール２１，２７および結束バンド３５を除く梱包用具３４全体が、強化段ボールで作られているので、従来使用されていた木箱のように、蓋体に打ち付けられていた釘を抜く必要がなく、開梱する際の木屑が梱包用具の中（内側）に落ち、その木屑がガスタービン燃焼器用ノズル２２の燃料噴射孔に入り込み、燃料噴射孔を塞いでしまうといったことも回避することができる。
さらに、発泡スチロール２１，２７および結束バンド３５を除く梱包用具３４全体が、強化段ボールで作られているので、ガスタービン燃焼器用ノズル２２を梱包用具３４に収容したり、梱包用具３４から取り出したりするとき、あるいは運搬中に、ガスタービン燃焼器用ノズル２２が梱包用具３４に接触したとしても、梱包用具３４だけが凹むようになっており、ガスタービン燃焼器用ノズル２２の表面への擦過傷を防止することができる。
さらにまた、発泡スチロール２１，２７および結束バンド３５を除く梱包用具３４全体が、強化段ボールで作られているので、従来使用されていた木箱に比べて、容易に組立・解体することができ、組立・解体作業に要する時間と労力を低減させることができて、作業効率を向上させることができる。
【００３３】
また、ガスタービン燃焼器用ノズル２２が板状の発泡スチロール２７を介して支持され、ガスタービン燃焼器用ノズル２２が強化段ボールで作られた部分と直接接触しないようになっているので、ガスタービン燃焼器用ノズル２２の表面への擦過傷をさらに防止することができる。
さらに、ガスタービン燃焼器用ノズル２２の先端（下端）２２ａと、ノズル受け台２８の底板１５との間に隙間が形成されるようになっているので、ガスタービン燃焼器用ノズル２２の先端２２ａと、ノズル受け台２８の底板１５との接触を防止することができ、ガスタービン燃焼器用ノズル２２の表面への擦過傷をさらに防止することができる。
【００３４】
また、隣り合うガスタービン燃焼器用ノズル２２とガスタービン燃焼器用ノズル２２との間に強化段ボールで作られた十字仕切り（間仕切り）１４が配置されることになるので、ガスタービン燃焼器用ノズル２２を梱包用具３４に収容したり、梱包用具３４から取り出したりするとき、あるいは運搬中におけるガスタービン燃焼器用ノズル２２同士の接触を防止することができ、ガスタービン燃焼器用ノズル２２の表面への擦過傷をさらに防止することができるとともに、梱包用具全体の剛性を高めることができる。
【００３５】
また、蓋体３２を被せた際に、ガスタービン燃焼器用ノズル２２の天面２２ｂと、蓋体３２の下面との間に形成される空間内に、強化段ボールで作られた天押さえ積層品ブロック３３が配置されることになるので、運搬中におけるガスタービン燃焼器用ノズル２２の移動を防止することができ、ガスタービン燃焼器用ノズル２２の表面への擦過傷をさらに防止することができる。
【００３６】
なお、本発明は上述した実施形態のものに限定されるものではなく、適宜必要に応じて変更あるいは変形して実施することもできる。
【符号の説明】
【００３７】
１１    底板
１２    側板
１３    外箱
１４    十字仕切り（間仕切り）
１５    底板
１６    側板
２２    ガスタービン燃焼器用ノズル
２２ａ  先端（下端）
２２ｂ  天面
２５    凹所
２７    発砲スチロール（緩衝材）
２８    ノズル受け台
３２    天キャップ（蓋体）
３３    天押さえ積層品ブロック
３４    梱包用具
【図１】
0005427615.tif 000002
【図２】
0005427615.tif 000003
【図３】
0005427615.tif 000004
【図４】
0005427615.tif 000005
【図５】
0005427615.tif 000006
【図６】
0005427615.tif 000007
【図７】
0005427615.tif 000008
【図８】
0005427615.tif 000009
【図９】
0005427615.tif 000010
【図１０】
0005427615.tif 000011
【図１１】
0005427615.tif 000012
【図１２】
0005427615.tif 000013
【図１３】
0005427615.tif 000014
【図１４】
0005427615.tif 000015
【図１５】
0005427615.tif 000016
【図１６】
0005427615.tif 000017
【図１７】
0005427615.tif 000018
【図１８】
0005427615.tif 000019